(57)【要約】      （修正有）【課題】ユーザの視認性が良好な状態で表示する表示装置、情報表示方法及び情報表示プログラムを提供する。【解決手段】自由に湾曲する帯状の表示パネル１６を備えた電子機器１００において、電子機器の湾曲状態及び表示パネルに対するユーザの目視方向Ｄｕを検出し、これらの位置関係に基づいて、表示領域１６ａに表示される情報の表示位置を設定するとともに、表示領域の視線中心を基準にして、視線中心から離れた領域に表示される情報を所定の伸長率で補正する。これにより、ユーザの視点から見える表示領域（視認表示１６ｂ）の情報が、その全域で歪みや変形が抑制された均一な表示として視認される。【選択図】図７
2016146103.tif 000002
【特許請求の範囲】
【請求項１】
特定の方向に延在する表示領域を有し、前記表示領域の延在方向に湾曲した形状を有する表示部と、
前記表示部に対するユーザの目視方向を設定する目視方向設定部と、
前記目視方向設定部において設定された目視方向に応じた前記表示領域のうちの基準位置を基準として、前記表示領域に表示するための画像の少なくとも一部が、前記表示部の湾曲状態にしたがって前記表示領域において前記特定の方向に伸長する補正を行う情報補正部と、
を備えることを特徴とする表示装置。
【請求項２】
前記表示部の湾曲形状を規定する曲率を検出する曲率検出部と、
前記曲率の分布に基づいて、前記表示部の湾曲形状を算出する湾曲形状算出部と、
をさらに備えることを特徴とする請求項１記載の表示装置。
【請求項３】
前記曲率検出部は、前記表示部の形状の変化に応じて生じる歪みを電気信号として検出する歪検出素子を有し、
前記湾曲形状算出部は、予め前記電気信号と前記曲率との対応関係にしたがって、前記曲率の分布を生成することを特徴とする請求項２記載の表示装置。
【請求項４】
特定の方向に延在する表示領域を有し、且つ前記表示領域の延在方向に湾曲した形状を有する表示部に対するユーザの目視方向を設定し、
前記設定された目視方向に応じた前記表示領域のうちの基準位置を基準として、前記表示領域に表示するための画像の少なくとも一部が、前記表示部の湾曲状態にしたがって前記表示領域において前記特定の方向に伸長する補正を行うことを備えることを特徴とする情報表示方法。
【請求項５】
特定の方向に延在する表示領域を有し、且つ前記表示領域の延在方向に湾曲した形状を有する表示部に対するユーザの目視方向を設定し、
前記設定された目視方向に応じた前記表示領域のうちの基準位置を基準として、前記表示領域に表示するための画像の少なくとも一部が、前記表示部の湾曲状態にしたがって前記表示領域において前記特定の方向に伸長する補正を行うことをコンピュータに実行させることを特徴とする情報表示プログラム。
【発明の詳細な説明】
【技術分野】
【０００１】
本発明は、体に装着して使用する、いわゆるウェアラブル端末に適用することができる表示装置、及び、情報表示方法、情報表示プログラムに関する。
【背景技術】
【０００２】
近年、体に装着して運動時や日常生活における各種の生体情報や運動情報を取得したり、有益な情報を提供したりすることができるウェアラブル端末の開発や製品化が盛んに行われている。例えば特許文献１には、腕時計型の外観を有し、利用者の手首に装着して心拍数や移動速度を検出し、それに基づく各種の情報を通知手段や表示部を介して通知する有酸素運動維持装置が開示されている。
【０００３】
このようなウェアラブル端末は、手首や腕等の人体の部位に直接装着して使用されるため、薄型軽量であって、かつ、装着する部位に応じた曲率を有する形状を備えていることが市場や利用者から求められている。また、近年の健康ブームやスポーツブームにおいては、ウェアラブル端末をはじめ、スポーツウェアやグッズ、トレーニングマシン等に対するデザイン性や機能性の高さも求められるようになってきている。例えば特許文献２には、薄型でスタイリッシュなリストバンド型の外観を有し、装着する手首や腕の形状に応じて湾曲して設けられた表示パネルを介して時刻や計時情報等の各種の情報を提供する携帯機器が開示されている。
【先行技術文献】
【特許文献】
【０００４】
【特許文献１】特開２００７−０７５２０１号公報
【特許文献２】特開２００７−０７８６７０号公報
【発明の概要】
【発明が解決しようとする課題】
【０００５】
上述したようなリストバンド型のウェアラブル端末においては、装着する手首や腕の形状に応じて表示パネルが湾曲して設けられているため、ユーザ（利用者）が一定の視点から表示パネルを見た場合、視線の中心となる正面位置の表示領域に表示された情報（例えば特定の画像）は正常な形状及びサイズで視認される。一方、視線の中心となる正面位置から外れた表示領域に表示された情報は、歪んだ状態で視認されることになる。
【０００６】
そのため、ユーザは湾曲して設けられた表示パネルに表示された多くの情報のうち、変形の少ない正面位置近傍の情報については瞬時に内容を把握することができるが、正面位置から外れた表示領域の情報については歪んでいるため見辛く、瞬時に内容を把握することができない。このような湾曲した表示パネルに表示された情報を、ユーザが視認してその内容を瞬時に把握するためには、何回も表示パネルを見たり、表示パネルを見ている時間を長くしたり、ウェアラブル端末を装着した手首や腕を回したり向きを変えたりする必要があり、ユーザにとって非常に煩わしく不便を感じるという問題を有している。
【０００７】
そこで、本発明の目的は、上述した問題点に鑑み、湾曲した形状を有する表示パネルに表示された情報を、ユーザが特別な動作を抑制しながら、瞬時かつ確実に視認することができる表示装置、及び、情報表示方法、情報表示プログラムを提供することを目的とする。
【課題を解決するための手段】
【０００８】
本発明に係る表示装置は、
特定の方向に延在する表示領域を有し、前記表示領域の延在方向に湾曲した形状を有する表示部と、
前記表示部に対するユーザの目視方向を設定する目視方向設定部と、
前記目視方向設定部において設定された目視方向に応じた前記表示領域のうちの基準位置を基準として、前記表示領域に表示するための画像の少なくとも一部が、前記表示部の湾曲状態にしたがって前記表示領域において前記特定の方向に伸長する補正を行う情報補正部と、
を備えることを特徴とする。
【０００９】
本発明に係る情報表示方法は、
特定の方向に延在する表示領域を有し、且つ前記表示領域の延在方向に湾曲した形状を有する表示部に対するユーザの目視方向を設定し、
前記設定された目視方向に応じた前記表示領域のうちの基準位置を基準として、前記表示領域に表示するための画像の少なくとも一部が、前記表示部の湾曲状態にしたがって前記表示領域において前記特定の方向に伸長する補正を行うことを備えることを特徴とする。
【００１０】
本発明に係る情報表示プログラムは、
特定の方向に延在する表示領域を有し、且つ前記表示領域の延在方向に湾曲した形状を有する表示部に対するユーザの目視方向を設定し、
前記設定された目視方向に応じた前記表示領域のうちの基準位置を基準として、前記表示領域に表示するための画像の少なくとも一部が、前記表示部の湾曲状態にしたがって前記表示領域において前記特定の方向に伸長する補正を行うことをコンピュータに実行させることを特徴とする。
【発明の効果】
【００１１】
本発明によれば、ユーザの視認性が良好な状態で表示することができる。
【図面の簡単な説明】
【００１２】
【図１】本発明に係る表示装置を備えた電子機器の第１の実施形態を示す概略構造図である。
【図２】第１の実施形態に係る電子機器の、人体への装着例を示す概略図である。
【図３】第１の実施形態に係る電子機器における機能構成を示す概略ブロック図である。
【図４】第１の実施形態に係る電子機器における組み付け構造（内部構造）の一例を示す分解斜視図である。
【図５】第１の実施形態に係る電子機器における情報表示方法の一例を示すフローチャートである。
【図６】第１の実施形態に係る電子機器における情報表示方法に適用される表示補正処理を説明するための概略図である。
【図７】第１の実施形態に係る情報表示方法により実現される情報表示の一例を示す概略図である。
【図８】第１の実施形態に係る電子機器に適用される曲率検出部の変形例を示す概略図である。
【図９】本発明に係る表示装置を備えた電子機器の第２の実施形態における機能構成を示す概略ブロック図である。
【図１０】第２の実施形態に係る電子機器における情報表示方法の一例を示すフローチャートである。
【発明を実施するための形態】
【００１３】
以下、本発明に係る表示装置、及び、情報表示方法、情報表示プログラムについて、実施形態を示して詳しく説明する。ここでは、本発明に係る電子機器として、人体の手首に装着するリストバンド型やブレスレット型の機器に適用した場合について説明する。
【００１４】
＜第１の実施形態＞
図１は、本発明に係る表示装置を備えた電子機器の第１の実施形態を示す概略構造図である。ここで、図１（ａ）は、本実施形態に係る電子機器の外観形状を示す概略斜視図であり、図１（ｂ）は、図１（ａ）に示した電子機器を図面左斜め前方向（矢印Ｄ１方向）から見た正面図であり、図１（ｃ）は、図１（ａ）に示した電子機器を図面右斜め前方向（矢印Ｄ２方向）から見た側面図である。また、図２は、本実施形態に係る電子機器の、人体への装着例を示す概略図である。図３は、本実施形態に係る電子機器における機能構成を示す概略ブロック図である。
【００１５】
（外観形状）
本発明の第１の実施形態に係る電子機器１００は、例えば図１（ａ）〜（ｃ）に示すように、大別して、矢印Ｄ２方向から見て湾曲形状を有する機器本体１０１と、機器本体１０１に対して回動可能に設けられた開閉部１０２と、を備えた外観形状を有している。なお、機器本体１０１は、矢印Ｄ２方向から見て特定の曲率でなく、局所的に直線状の短い辺の集合体からなる多角形状であってもよい。この場合であっても、略湾曲形状とみなすことができるので、以下、多角形状も含め湾曲形状と定義する。
【００１６】
具体的には、機器本体１０１は、図１（ａ）〜（ｃ）に示すように、略帯状の部材が長手方向に曲率が変化して自由に湾曲する可撓性や変形性を有する構造を有している。機器本体１０１の長手方向の一方の端部（図１（ａ）、（ｃ）の上方側の端部）には回転軸を備えた回動部１０３が設けられている。
【００１７】
また、開閉部１０２は、図１（ａ）、（ｃ）に示すように、略帯状の部材により形成され、一方の端部（図１（ａ）、（ｃ）の上方側の端部）が回動部１０３を介して、機器本体１０１に接続されて、回動部１０３の回転軸を支点（中心）にして機器本体１０１に対して回動する構造を有している。これにより、開閉部１０２の他方の端部（図１（ａ）、（ｃ）の下方側の端部）が、電子機器１００を側面側から見て（図１（ｃ）に示したＤ２方向矢視）、略Ｃ字形状に湾曲させた機器本体１０１の他方の端部（図１（ａ）、（ｃ）の下方側の端部）に対して近接又は密着、あるいは、重なり合う閉止状態と、所定の寸法以上離間する開放状態に変化するように設計されている。
【００１８】
（装着例）
このような構造を有する電子機器１００において、図２（ｂ）に二点鎖線で示すように、回動部１０３の回転軸を支点にして、開閉部１０２を機器本体１０１に対して回動させて、略Ｃ字形状に湾曲させた機器本体１０１と開閉部１０２の他方の端部同士が離間した開放状態にする。これにより、機器本体１０１により形成される湾曲形状の内方の装着空間１０１ｓが開放され、電子機器１００の手首ＵＳｈへの装着、又は、手首ＵＳｈからの離脱が可能な状態になる。
【００１９】
そして、この開放状態において、機器本体１０１の装着空間１０１ｓに手首ＵＳｈを挿入し、機器本体１０１を手首ＵＳｈの外周に沿うようにさらに湾曲させた後、図２（ｂ）に実線で示すように、開閉部１０２を機器本体１０１に対して回動させて、機器本体１０１と開閉部１０２の他方の端部同士を近接又は密着させた閉止状態にする。あるいは、図２（ｃ）に示すように、機器本体１０１の他方の端部を巻き込んで、機器本体１０１と開閉部１０２の他方の端部同士を重なり合わせた閉止状態にする。
【００２０】
ここで、開閉部１０２の回動動作は、回動部１０３に設けられた図示しない回動調整部材によって、予め設定された閉止状態となる位置でのみ回動が停止されるものであってもよいし、所定の角度ごとに段階的に回動が一時停止できるものであってもよいし、無段階に回動が一時停止できるものであってもよい。これにより、電子機器１００を装着するユーザの手首ＵＳｈの太さが異なる場合であっても、機器本体１０１の装着空間１０１ｓが手首ＵＳｈの太さに応じた円環状に確定されて、図１（ｃ）及び図２（ａ）〜（ｃ）に示すように、機器本体１０１及び開閉部１０２の内面側（装着空間１０１ｓ側の面）が手首ＵＳｈの外周に沿うように接触又は密着して、電子機器１００が手首ＵＳｈに装着される。
【００２１】
なお、図示を省略したが、電子機器１００は、図１（ｃ）及び図２（ｂ）、（ｃ）に示した閉止状態において、近接又は密着、あるいは、重なり合った機器本体１０１と開閉部１０２の他方の端部同士を、バックルや面ファスナー等により相互に接続するロック、アンロック機構を備えているものであってもよい。また、機器本体１０１と開閉部１０２の他方の端部同士を、ゴムバンド等の伸縮性を有する部材により予め接続した構造を備えているものであってもよい。このような電子機器１００を装着して機器本体１０１と開閉部とをロック又は接続することにより、電子機器１００の使用中に、機器本体１０１と開閉部１０２の他方の端部同士が離間して手首ＵＳｈから脱落する事故を確実に防止することができる。
【００２２】
（機能構成）
本実施形態に係る電子機器１００は、例えば図３に示すように、大別して、表示部１１０と、操作部１２０と、センサ部１３０と、視点検出部１４０と、曲率検出部１５０と、通信部１６０と、ＣＰＵ等の演算回路である制御部（湾曲形状算出部、情報補正部）１７０と、記憶部１８０と、電源部１９０と、を有している。本実施形態においては、これらの機能部が上述した機器本体１０１に内蔵されている。なお、機器本体１０１の内部構造（組み付け構造）の一例については後述する。
【００２３】
表示部１１０は、例えば図１、図２に示すように、上述した自由に湾曲する機器本体１０１の長手方向に沿って、外面側の略中央領域に帯状に表示領域が延在するように設けられている。帯状の表示領域には、例えば現在時刻やユーザの動作中や運動中に取得した生体情報や運動情報等の、各種の情報や、ユーザが所望する任意の情報が表示される。特に、本実施形態においては、ユーザの視線方向から見える表示領域の略全域における画像が、ユーザの視線方向から見て、表示部１１０の湾曲状態によって生じる歪みや変形が抑えられた適正な状態で表示されるように処理されている。なお、表示部１１０における情報の表示例については後述する。このような表示部１１０は、液晶方式や、有機ＥＬ等の発光素子方式、電子ペーパー方式等の各種の表示パネルを適用することができる。また、表示部１１０に表示される各種の情報は、カラー表示であってもよいし、モノクロ表示であってもよい。さらに、表示部１１０に表示される各種の情報は、文字や静止画に限らず、動画であってもよい。
【００２４】
操作部１２０は、例えば上述した表示部１１０の表示領域の全域に対応して視野側（前面側）に設けられたタッチパネル（目視方向設定部）といったソフトウェアキーを有している。タッチパネルは、表示部１１０においてユーザが表示を所望する情報を設定したり、ユーザが目視している方向であるユーザの目視方向を設定したりする操作に用いられる。なお、ユーザによる各種の設定操作については後述する。また、操作部１２０は、機器本体１０１や開閉部１０２の外面に設けられた操作ボタン（押しボタンやスライドボタン、タッチセンサ等）等のハードウェアキーを有しているものであってもよく、ソフトウェアキー及びハードウェアキーの両方を備えていてもよい。これらのタッチパネルや操作ボタン等は、例えば電子機器１００を起動するための電源操作や、電子機器１００における各種の動作（例えばセンサ部１３０や通信部１６０等における動作）を設定するための操作にも用いられる。
【００２５】
センサ部１３０は、例えばユーザの動作中や運動中の加速度や角速度等の運動情報、重力や地理的な位置等の物理情報等を取得する各種のセンサを有している。また、センサ部１３０は、ユーザの動作中や運動中の脈拍や体温、血圧等の生体情報、気圧や気温、湿度、地磁気等の環境情報等を取得する各種のセンサを有しているものであってもよい。センサ部１３０により取得された運動情報や生体情報等は、後述する記憶部１８０の所定の記憶領域にセンサデータとして保存される。
【００２６】
視点検出部１４０は、例えばカメラ等の撮像デバイスを有し、上述した表示部１１０の表示領域近傍に設けられている。視点検出部１４０は、ユーザの顔を撮影して、その顔画像中の瞳の位置（すなわち視点）を検出する。視点検出部１４０により検出された視点の位置データは、後述する制御部１７０において、ユーザの目視方向Ｄｕ、すなわち、ユーザが表示部１１０に表示された情報を見ている方向を算出する処理に使用される。なお、図１（ａ）、（ｂ）においては、視点検出部１４０となる１個のカメラを、表示部１１０の表示領域近傍に配置し、帯状の機器本体１０１の側部から突出するように設けた構造を示したが、これに限定されるものではない。視点検出部１４０は、例えば、複数個のカメラが表示領域周辺の機器本体１０１に配置されているものであってもよい。
【００２７】
曲率検出部１５０は、例えば測定対象となる部材の湾曲により生じる歪みを検出する歪ゲージ等の計測デバイスを有し、ユーザが電子機器１００を装着することにより機器本体１０１とともに湾曲する表示部１１０に直接、又は、当該表示部１１０の形状の変化に対応して同様に湾曲する部材に設けられている。表示部１１０の湾曲に伴う歪みは、曲率検出部１５０により電圧データとして検出され、当該電圧データを後述する記憶部１８０に保存されたデータベースに照合することにより曲率に変換されて、制御部１７０における表示部１１０の湾曲状態又は湾曲形状を算出する処理に使用される。なお、曲率検出部１５０については、後述する組み付け構造において詳しく説明する。
【００２８】
通信部１６０は、電子機器１００の外部の機器（例えばスマートフォンやタブレット、パーソナルコンピュータ等）やネットワークとの間で、取得したセンサデータや各種信号の送受信を行うインターフェースとして機能する。ここで、通信部１６０を介して、電子機器１００と外部の機器等との間で、センサデータ等を送受信する手法としては、各種の無線通信方式や有線通信方式が適用される。特に、無線通信方式を適用する場合には、通信部１６０は、例えばデジタル機器用の近距離無線通信規格であるブルートゥース（Bluetooth（登録商標））や、低消費電力型の通信規格として策定されたブルートゥースローエナジー（Bluetooth（登録商標） low energy（LE））、ＮＦＣ（Near field communication）、ワイファイ（Wi-Fi；wireless fidelity（登録商標））等の通信方式を良好に適用することができる。
【００２９】
制御部１７０は、所定のプログラムを実行することにより、表示部１１０に所望の情報を表示する動作や、操作部１２０における情報の選択動作や表示位置の設定動作、センサ部１３０におけるセンシング動作、通信部１６０におけるセンサデータ等の送受信動作、記憶部１８０への書込み読出し動作等の、各種の動作を制御する。特に、本実施形態においては、制御部１７０は、表示部１１０に所望の情報を表示する動作に関し、ユーザの目視方向を検出する動作や、表示部１１０の湾曲状態を算出する動作、表示部１１０の湾曲状態に応じて表示部１１０に表示する情報を補正する動作、補正された情報をユーザの目視方向となる表示領域に表示する動作を実行する制御を行う。なお、表示部１１０における情報の表示動作については後述する。
【００３０】
記憶部１８０は、上述したセンサ部１３０により取得されたセンサデータや、視点検出部１４０により検出されたユーザの目視方向、曲率検出部１５０により検出された曲率や当該曲率に基づいて算出された表示部１１０の湾曲状態等を保存する。また、記憶部１８０は、曲率検出部１５０又は表示部１１０について、予め計測された曲率と曲率検出部１５０の電圧データとの関係をデータベースとして保存している。また、記憶部１８０は、制御部１７０により制御される、上記の各種の動作を実行する際に使用又は生成されるデータや情報を保存する。なお、記憶部１８０は、制御部１７０で実行されるプログラムを格納するものであってもよい。また、記憶部１８０は、例えばメモリカード等のリムーバブル記憶媒体としての形態を有し、電子機器１００に対して着脱可能な構造を有しているものであってもよい。
【００３１】
電源部１９０は、例えば上述した機器本体１０１の長手方向に沿って帯状に延在し、機器本体１０１の湾曲形状に対応して湾曲する可撓性や変形性を有する電池を有し、当該電池から出力される駆動電力を、電子機器１００の各構成に供給する。ここで、本実施形態に適用される電池としては、例えばリチウムイオン電池やニッケル水素電池等の、繰り返し充放電が可能な二次電池が適用される。この場合、電源部１９０は、電池から各構成への駆動電力の供給動作に加え、電池への充電動作を行う。なお、電源部１９０は、上記の二次電池に加え、市販のボタン型電池等の一次電池や、振動や光、熱、電磁波等のエネルギーにより発電する環境発電（エナジーハーベスト）技術による電源等を併用する構造を有するものであってもよい。
【００３２】
なお、図示を省略したが、本実施形態に係る電子機器１００は、図３に示した構成の他に、表示部１１０に表示される情報や電子機器１００の動作状態等を報知するための音響部（例えばスピーカやブザー等）や振動部（例えばバイブレータ等）を備えているものであってもよい。これにより、表示部１１０の表示や電子機器１００の動作状態（例えばユーザによる入力操作時や、異常状態の発生時等）に対応して、各種の音声やブザー音、振動を発生させてユーザに報知することができる。
【００３３】
（組み付け構造）
図４は、本実施形態に係る電子機器における組み付け構造（内部構造）の一例を示す分解斜視図である。
【００３４】
図１に示した外観形状を有する機器本体１０１は、例えば図４に示すように、大別して、本体ケース１１と、回路基板１２と、電池１３と、曲率検出部１４と、外装カバー１５と、情報を表示できる領域としての表示可能領域が一面に設けられた表示パネル１６と、タッチパネル１７とを有している。ここで、電池１３は図３に示した電源部１９０に対応し、曲率検出部１４は図３に示した曲率検出部１５０に対応し、表示パネル１６は図３に示した表示部１１０に対応し、タッチパネル１７は図３に示した操作部１２０に対応する。そして、機器本体１０１は、本体ケース１１と該本体ケース１１を閉止する外装カバー１５により形成される収納空間１１ｓに、回路基板１２や電池１３、曲率検出部１４、表示パネル１６を収納した構造を有している。
【００３５】
本体ケース１１は、例えば図４に示すように、略帯状の絶縁性の部材により形成され、帯状の長手方向に沿って、その両辺部が外方（図４の外装カバー１５方向）に連続的に屈曲又は突出し、断面が凹状の収納空間１１ｓを備えた構造を有している。また、本体ケース１１は、帯状の部材の長手方向に曲率が変化して自由に湾曲するように形成されている。また、本体ケース１１の一方の辺（側部）の所定の位置には、視点検出部１４０となるカメラ（目視方向設定部）１１Ａが設けられている。また、本体ケース１１は、少なくとも帯状の部材の長手方向の一方の端部（図４の上方側の端部）に、開閉部１０２側に設けられた回動部１０３に接続するための取り付け穴Ｈ１１が複数設けられている。なお、本体ケース１１は、少なくとも本体ケース１１に後述する回路基板１２や曲率検出部１４、外装カバー１５が組み付けられた電子機器１００をユーザが装着する際に、手首ＵＳｈの外周に沿って接触又は密着するように変形しつつ、収納空間１１ｓの形状をある程度保持できることが好ましく、さらに、人体（肌）に接触しても違和感を持たない程度の質感を有していることが好ましい。
【００３６】
回路基板１２は、例えば図４に示すように、帯状の平面形状を有するフィルム状の絶縁性基板（例えばフレキシブルプリント基板；ＦＰＣ）により形成され、本体ケース１１の曲率の変化（湾曲）に対応して湾曲する可撓性や変形性を有している。また、回路基板１２は、絶縁性基板の一方の面又は裏表両面に、上述した機能構成において説明したセンサ部１３０や通信部１６０、制御部１７０、記憶部１８０等が搭載されている。また、少なくとも回路基板１２の長手方向の一方の端部（図４の上方側の端部）には、本体ケース１１の収納空間１１ｓ内に組み付け固定するための取り付け穴Ｈ１２が複数設けられている。また、少なくとも回路基板１２の長手方向の一方の端部には、後述する曲率検出部１４との組み付け位置を確定するための基板固定ピンＰ１２が設けられている。このような回路基板１２は、本体ケース１１に組み付けられた状態で、例えば絶縁性基板の長手方向の両端部において、後述する電池１３や曲率検出部１４、表示パネル１６、タッチパネル１７に電気的に接続され、また、絶縁性基板の所定の位置の側部において、カメラ１１Ａに電気的に接続されている。
【００３７】
電池１３は、例えば図４に示すように、樹脂フィルムによるラミネートパッケージや薄型の金属パッケージ等を有する電池が帯状に形成され、上記の回路基板１２の一面側（本体ケース１１側）に近接して配置されて、又は、一体的に固定されて、回路基板１２の曲率の変化（湾曲）に対応して湾曲する可撓性や変形性を有している。ここで、電池１３は、例えば回路基板１２の略全域に対応した寸法の帯状の平面形状を有しているものであってもよいし、一部の領域にのみ対応した平面形状を有しているものであってもよい。このような電池１３の出力端子は、本体ケース１１に組み付けられた状態で、例えば本体ケース１１の長手方向の両端部において、回路基板１２や表示パネル１６等に電気的に接続されている。
【００３８】
曲率検出部１４は、例えば図４に示すように、後述する表示パネル１６の平面形状の略全域に対応した形状を有するフィルム状の絶縁性基板（例えばＦＰＣ等の薄膜基板）１４ｂの他面側（外装カバー１５側）に、長手方向に沿って所定の間隔で複数の歪ゲージ（歪計；歪検出素子）１４ａが一列又は複数列配列された構造を有している。また、曲率検出部１４は、表示パネル１６の一面側（回路基板１２側）に近接して配置されて、又は、一体的に固定されて、表示パネル１６の曲率の変化（湾曲）に対応して湾曲する可撓性や変形性を有している。また、少なくとも曲率検出部１４の長手方向の一方の端部（図４の上方側の端部）には、上記回路基板１２との組み付け位置を確定するための位置決め穴Ｈ１４が設けられている。このような曲率検出部１４は、本体ケース１１に組み付けられた状態で、例えば上記の絶縁性基板１４ｂの長手方向の両端部において、回路基板１２に電気的に接続されている。これにより、曲率検出部１４は、ユーザが電子機器１００を装着する際の機器本体１０１や表示パネル１６の湾曲に伴って、絶縁性基板１４ｂが湾曲することにより生じる歪みに応じた電圧データが各歪ゲージ１４ａから出力される。上述した回路基板１２に搭載された制御部１７０は、曲率検出部１４の各歪ゲージ１４ａから出力された電圧データにより生成される電圧分布に基づいて、表示パネル１６の湾曲状態を算出する。
【００３９】
外装カバー１５は、例えば図４に示すように、帯状の平面形状を有する絶縁性の薄板により形成され、上記の本体ケース１１の曲率の変化に対応して湾曲する可撓性や変形性を有している。そして、外装カバー１５を上記の本体ケース１１に組み付けることにより、本体ケース１１の収納空間１１ｓが閉止されて密閉される。ここで、外装カバー１５は、少なくとも電子機器１００の外部からの圧力（外圧）や周辺環境（温度や湿度、薬品等）に対して、収納空間１１ｓに収納される各構成を保護することができる特性（剛性や耐熱性、耐湿性、耐薬品性等）を有している。また、本実施形態においては、外装カバー１５は、例えば透明な樹脂材料やガラス材料により形成されている。外装カバー１５の一面側（収納空間１１ｓ側）の面には、表示部１１０を構成する表示パネル１６が一体的に設けられている。また、外装カバー１５の他面側（ユーザの視野側）の面には、操作部１２０を構成する透明なタッチパネル１７が一体的に設けられている。また、外装カバー１５は、帯状の薄板の長手方向の両端部（図４の上方側及び下方側の端部）に、本体ケース１１の収納空間１１ｓを閉止するための取り付け穴Ｈ１５が複数設けられている。
【００４０】
表示パネル１６は、例えば図４に示すように、薄型の表示デバイスが帯状の平面形状を有するように形成され、上記の外装カバー１５の一面側（収納空間１１ｓ側）の面に一体的に設けられ、外装カバー１５の曲率の変化に対応して湾曲する可撓性や変形性を有している。表示パネル１６は、例えば可撓性のフィルム樹脂基板間に液晶が封入された液晶表示パネルや、可撓性のフィルム樹脂基板に有機ＥＬ層が設けられた有機ＥＬ表示パネルや、可撓性のフィルム樹脂基板間に色粒子が封入された電子ペーパー表示パネルのように、撓んだり、変形したりしても表示を維持することができる表示デバイスが適用される。なお、表示パネル１６は、上記の液晶表示パネルや有機ＥＬ表示パネル、電子ペーパー表示パネル等の表示デバイスのうち、いずれか１種類のみ、あるいは、複数種類の表示デバイスを搭載した構造を有するものであってもよいし、各種類の表示デバイスを１又は複数個搭載した構造を有するものであってもよい。また、表示パネル１６は、帯状の長手方向に延在するように表示領域１６ａを有し、当該表示領域１６ａの全域又は任意の領域に、各種の情報が文字や静止画、動画等により表示される。表示領域１６ａに表示される情報は、透明な外装カバー１５を介してユーザの視野側に透過されて視認される。なお、図示を省略したが、例えば表示パネル１６又は外装カバー１５の長手方向の一方の端部には、表示パネル１６を駆動するためのドライバＩＣが設けられ、外装カバー１５が本体ケース１１に組み付けられた状態で、表示パネル１６やドライバＩＣは、回路基板１２や電池１３等に電気的に接続される。
【００４１】
タッチパネル１７は、例えば図４に示すように、上記の外装カバー１５の他面側（ユーザの視野側）であって、表示パネル１６の表示領域１６ａに対応する領域に一体的に設けられ、外装カバー１５の曲率の変化に対応して湾曲する可撓性や変形性を有している。ユーザは、表示パネル１６の表示領域１６ａに表示され、透明な外装カバー１５を介して視認した情報に基づいて、タッチパネル１７を操作することにより、各種の設定を行う。
【００４２】
また、開閉部１０２は、例えば図４に示すように、略帯状の部材の長手方向の一方の端部（図４の上方側の端部）に、回動部１０３が設けられた構造を有している。回動部１０３は、回転軸を備え、回転軸を支点にして開閉部１０２が回動するように形成されている。また、回動部１０３は、少なくとも機器本体１０１と接続するための取り付け穴Ｈ１３が複数設けられている。
【００４３】
このような電子機器の組み付け方法は、図４に示すように、まず、回動部１０３に設けられた取り付け穴Ｈ１３と、本体ケース１１に設けられた取り付け穴Ｈ１１と、回路基板１２に設けられた取り付け穴Ｈ１２との各位置を整合させて、本体ケース１１及び回動部１０３の内方側（装着空間１０１ｓ側）から雄ネジＢ１１を挿通させて、ホルダーＰ１１に設けられた雌ネジにネジ止めして固定する。
【００４４】
次いで、曲率検出部１４に設けられた位置決め穴Ｈ１４に、回路基板１２に設けられた基板固定ピンＰ１２を嵌合させて、回路基板１２に対する曲率検出部１４の組み付け位置を確定する。そして、回路基板１２と曲率検出部１４の長手方向の端部同士を、例えば接着剤や両面接着テープ等により接着して固定する。これにより、本体ケース１１の収納空間１１ｓに、回路基板１２、及び、回路基板１２に一体的に設けられた電池１３、曲率検出部１４が組み付けられる。また、このとき、回路基板１２の長手方向の端部において、回路基板１２と曲率検出部１４が電気的に接続される。なお、回路基板１２と曲率検出部１４とを位置決めして固定する手法としては、上記の接着剤や両面接着テープの他に、ネジ固定や樹脂による溶着やホットメルト等を適用することができる。
【００４５】
次いで、本体ケース１１の収納空間１１ｓを閉止するように、表示パネル１６及びタッチパネル１７が一体的に設けられた外装カバー１５を配置し、外装カバー１５に設けられた取り付け穴Ｈ１５に外方側から雄ネジＢ１２を挿通させて、ホルダーＰ１１に設けられた雌ネジにネジ止めして固定する。これにより、回路基板１２と、電池１３と、曲率検出部１４と、表示パネル１６とが収納された本体ケース１１の収納空間１１ｓが密閉される。また、このとき、外装カバー１５と回路基板１２の長手方向の端部において、外装カバー１５側に設けられた表示パネル１６及びドライバＩＣと、回路基板１２や電池１３とが電気的に接続される。
【００４６】
そして、ホルダーＰ１１を介して外装カバー１５を本体ケース１１にネジ止め固定した雄ネジＢ１２及び取り付け穴Ｈ１５の周辺を覆うようにカバー部品Ｃ１１を取り付ける。これにより、密閉された本体ケース１１の収納空間１１ｓへの水分等の侵入を防止することができるとともに、電子機器１００のデザイン性を高めることができる。なお、図４においては、図示の都合上、回動部１０３が接続される機器本体１０１の一方の端部（図４の上方側の端部）について詳しく説明したが、他方の端部（図４の下方側の端部）についても同様にして組み付けを行って、回路基板１２及び曲率検出部１４、外装カバー１５の両端部において本体ケース１１に固定するものであってもよい。また、図４において、Ｃ１２は、外装カバー１５の他方の端部を、本体ケース１１に固定する雄ネジ（図示を省略）周辺を覆うカバー部品であり、Ｃ１３は、本体ケース１１の他方の端部に取り付けられる、その他のカバー部品である。
【００４７】
（情報表示方法）
次に、本実施形態に係る電子機器における情報表示方法について、図面を参照して説明する。
【００４８】
図５は、本実施形態に係る電子機器における情報表示方法の一例を示すフローチャートであり、図６は、本実施形態に係る電子機器における情報表示方法に適用される表示補正処理を説明するための概略図である。また、図７は、本実施形態に係る情報表示方法により実現される情報表示の一例を示す概略図である。ここで、図７（ａ）は本実施形態に係る情報表示の例を示す斜視図及び視認表示の概略図であり、図７（ｂ）は比較例における情報表示の例を示す斜視図及び視認表示の概略図である。
【００４９】
本実施形態に係る電子機器の情報表示方法においては、大別して、湾曲状態算出処理と、目視方向算出処理と、表示情報設定処理と、表示補正処理と、情報表示処理と、が実行される。これらの各処理動作は、電子機器１００の制御部１７０において、所定のプログラムを実行することにより実現されるものである。
【００５０】
本実施形態に係る電子機器１００の情報表示方法は、例えば図５に示すように、まず、ユーザが電子機器１００を人体に装着して、電子機器１００を起動させる（ステップＳ１０２）。なお、電子機器１００は、装着前に起動していてもよい。具体的には、図２（ｂ）、（ｃ）に示したように、電子機器１００の機器本体１０１に対して開閉部１０２を回動させて、装着空間１０１ｓを開放して手首ＵＳｈを挿入した状態で、機器本体１０１を手首ＵＳｈの外周に沿うように湾曲させるとともに開閉部１０２を閉止することにより、電子機器１００を手首ＵＳｈに装着する。そして、ユーザが機器本体１０１の操作部１２０に設けられた電源スイッチ（図示を省略）をオン操作することにより、電源部１９０から各構成に駆動電力が供給されて、電子機器１００が起動する。これにより、制御部１７０は、センサ部１３０によるセンシング動作を開始させて、所定のセンサデータを取得させるとともに、次に示す一連の処理動作（少なくとも湾曲状態算出処理、目視方向算出処理、表示補正処理、情報表示処理）を実行して表示部１１０に所望の情報を表示させる。なお、電子機器１００は、電源部１９０の電池１３を充電することにより、電源部１９０から各構成に駆動電力が常時供給されて、電子機器１００が常時起動した状態に設定されているものであってもよい。この場合、電子機器１００が装着されていない状態では、制御部１７０は、例えば表示部１１０における時計表示動作等の最小限の動作のみを行って、電子機器１００を、消費電力を低減したスリープ状態等に移行することが好ましい。
【００５１】
次いで、制御部１７０は、曲率検出部１５０から出力される電圧データに基づいて、表示部１１０の湾曲状態を算出する処理を実行する（ステップＳ１０４）。具体的には、上述したように、ユーザが電子機器１００を人体に装着する際に、機器本体１０１を手首ＵＳｈの外周に沿うように湾曲させることにより、表示部１１０の湾曲に伴って曲率検出部１５０に生じる歪みに応じた電圧データが各歪ゲージ１４ａから出力されて、記憶部１８０の所定の記憶領域に保存される。制御部１７０は、記憶部１８０に保存された各電圧データを読み出して、曲率検出部１５０又は表示部１１０の表示パネル１６について予め計測された曲率と歪ゲージ１４ａの電圧データとの関係を保存したデータベースに照合することにより、各電圧データを曲率に変換して、その分布を生成する。そして、制御部１７０は、この曲率の分布に基づいて、表示部１１０の表示パネル１６の湾曲状態又は湾曲形状を算出する。ここで、曲率検出部１５０は、上述したように、表示パネル１６の一面側に近接して配置されて、又は、一体的に固定されて、表示パネル１６の曲率の変化に対応して湾曲する可撓性や変形性を有しているので、制御部１７０により生成された曲率の分布は、概ね表示パネル１６の湾曲状態又は湾曲形状を規定しているものと考えることができる。算出された表示パネル１６の湾曲状態（又は、湾曲状態を規定する曲率の分布）は、記憶部１８０の所定の記憶領域に保存される。このような表示部１１０の湾曲状態を算出する処理は、ユーザが電子機器１００を装着した直後に１回のみ実行するものであってもよいし、電子機器１００の装着中に定期的に、又は、随時繰り返し実行するものであってもよい。
【００５２】
次いで、制御部１７０は、視点検出部１４０から出力されるユーザの顔画像に基づいて、ユーザの目視方向を算出する処理を実行する（ステップＳ１０６）。具体的には、ユーザが電子機器１００を装着した状態で、表示部１１０に表示された情報を見るための動作を行う。このとき、機器本体１０１の表示領域１６ａの近傍に設けられたカメラ１１Ａにより、ユーザの顔画像が撮影されて当該顔画像データが記憶部１８０の所定の記憶領域に保存される。制御部１７０は、記憶部１８０に保存された顔画像データを読み出して、所定の画像解析を行うことにより、顔画像から瞳の位置を検出して、ユーザの目視方向（又は、ユーザの視点の位置）を算出する。算出されたユーザの目視方向（又は、視点の位置）は、記憶部１８０の所定の記憶領域に保存される。このようなユーザの目視方向を算出する処理は、ユーザが電子機器１００を装着した直後に、初期設定動作として実行するものであってもよいし、電子機器１００の装着中に定期的に、又は、随時繰り返し実行するものであってもよいし、ユーザが任意のタイミングで操作部１２０を操作して実行するものであってもよい。
【００５３】
次いで、制御部１７０は、上述した表示パネル１６の湾曲状態とユーザの目視方向とに基づいて判定される、ユーザの視点と湾曲した表示パネル１６との位置関係に基づいて、表示パネル１６の表示領域１６ａに表示される情報の表示位置を設定するとともに、その表示形状を補正する処理を実行する（ステップＳ１０８）。具体的には、例えば図６（ａ）に示すように、ユーザの手首ＵＳｈに装着することにより湾曲した電子機器１００の表示パネル１６を側面側から見た場合の形状（又は、手首ＵＳｈを断面視したときの形状）が、長径が２ａ、短径が２ｂの楕円形に近似するものと仮定し、その円周上に延在する表示領域１６ａに複数の画素が均一に配置されているものと仮定する。また、ユーザの視点は図面右方（後述する図６（ｂ）においては＋ｘ方向）にあって目視方向Ｄｕから表示パネル１６の表示領域１６ａを見ているものと仮定する。ここで、ユーザにより視認される見かけ上の表示、具体的には、ユーザにより視認される表示領域１６ａを目視方向に垂直な平面に投影した表示を、便宜的に「視認表示」１６ｂと定義する。そして、表示領域１６ａに表示される情報に対して、視認表示１６ｂが全域で歪みや変形がない均一な表示になるように、制御部１７０により次のような表示補正処理及び情報表示処理が実行される。
【００５４】
図６（ａ）に示した長径２ａ、短径２ｂの楕円形の円周上の点を示す一般方程式は（１１）式で表され、また、楕円の周長Ｐは一般に楕円積分となるため（１２）式で近似される。
【００５５】
【数１】
2016146103.tif 000003
【００５６】
ここで、説明を簡易にするために、図６（ｂ）に示すように、楕円の第１象限の円弧状の表示パネル１６について着目し、その表示領域１６ａに対応する視認表示１６ｂをｙ軸方向（図面上下方向）に二等分する場合について検討する。この場合、視認表示１６ｂを二等分する境界のｙ座標はｙ＝ｂ／２（ｂは楕円の短半径）になり、当該境界に対応する円弧上の点をＣＰとする。また、ｙ＝０は、ユーザにより表示領域１６ａの正面位置として視認される視認表示１６ｂの中心（視線中心）となる位置であって、上述した湾曲状態算出処理により算出された表示パネル１６の湾曲状態と、目視方向算出処理により算出されたユーザの目視方向Ｄｕとに基づいて算出される。
【００５７】
第１象限の円弧について、視認表示１６ｂの二等分された領域のうち、図面下側（ｙ＝０〜ｂ／２）の領域Ａ１に対応する円弧Ｐ１の長さをＬとし、図面上側（ｙ＝ｂ／２〜ｂ）の領域Ａ２に対応する円弧Ｐ２の長さをＭとすると、第１象限の円弧長はＰ／４＝Ｌ＋Ｍとなる。円弧Ｐ１、Ｐ２について、それぞれの両端を結ぶ直線Ｓ１、Ｓ２の長さｌ、ｍは（１３）、（１４）式で表わされる。
【００５８】
【数２】
2016146103.tif 000004
【００５９】
ここで、円弧Ｐ１、Ｐ２の長さＬ、Ｍと、直線Ｓ１、Ｓ２の長さｌ、ｍとの関係は、Ｌ：Ｍ≒ｌ：ｍとみなすことができるので、円弧Ｐ１、Ｐ２の長さＬ、Ｍは（１５）、（１６）式で表わされる。
【００６０】
【数３】
2016146103.tif 000005
【００６１】
これにより、視認表示１６ｂの領域Ａ１とＡ２における画素数の比率Ｍ／Ｌは（１７）式で表わされる。すなわち、同じ面積を有する領域Ａ１、Ａ２において、領域Ａ１における一画素の大きさ（ｙ軸方向の長さ）は、領域Ａ２においてＭ／Ｌ画素分に相当することになる。
【００６２】
【数４】
2016146103.tif 000006
【００６３】
（１７）式においては、長半径ａ及び短半径ｂの長さがわかれば比率Ｍ／Ｌを求めることができる。ここで、長半径ａ及び短半径ｂは、上述した湾曲形状算出処理（ステップＳ１０４）において算出された湾曲状態（又は、湾曲状態を規定する曲率の分布）に基づいて算出されるものである。このことから、（１７）式において長半径ａ及び短半径ｂを代入し、例えばＬ＝１００、Ｍ＝５００であるとすると、比率Ｍ／Ｌ＝５となり、図６（ｃ）に示すように、領域Ａ１における一画素Ｐｘは、領域Ａ２における画素５個分に相当することになる。すなわち、領域Ａ２における画素Ｐｍ１〜Ｐｍ５の５画素分を一画素として一つの情報を表示するように、表示補正のための伸長率（すなわち、比率Ｍ／Ｌ）が設定される。制御部１７０は、設定された伸長率（＝５倍）に基づいて、領域Ａ２に対応する表示領域１６ａに表示される情報（特にｙ軸方向の長さ）が伸長処理されて、領域Ａ１に表示される情報と同等の表示形状に補正される。視認表示１６ｂについて分割設定された各領域Ａ１、Ａ２と、各領域Ａ１、Ａ２における伸長率、及び、領域Ａ１、Ａ２ごとに補正された情報は、相互に関連付けられて記憶部１８０の所定の記憶領域に保存される。
【００６４】
また、ユーザの目視方向が、図６における短径２ｂに沿った方向（図６（ｂ）においては＋ｙ方向）とした場合、表示領域１６ａに対応する視認表示１６ｂを二等分すると、境界のｘ座標はｘ＝ａ／２（ａは楕円の長半径）になり、当該境界に対応する円弧上の点ＣＰの座標は、（ａ／２，√３ｂ／２）となる。よって上述と同様に演算すると、比率ｍ／ｌは（１８）式で表わされる。
【００６５】
【数５】
2016146103.tif 000007
【００６６】
ここで、比率ｍ／ｌを比率Ｍ／Ｌとみなして、（１８）式において、湾曲形状算出処理において算出された湾曲状態から算出された長半径ａ及び短半径ｂの値を代入することにより、比率Ｍ／Ｌの値を求めることができる。この伸長率に合わせて制御部１７０が適宜、表示領域１６ａに表示される画素に供給する情報を伸長することによって適正な視認が可能な表示となる。
【００６７】
なお、本実施形態においては、図６（ｂ）に示したように、表示領域１６ａに対応する視認表示１６ｂを二等分した場合について説明したが、２以上の複数の領域に等分して各領域について伸長率を求める処理を行うことにより、その分割数ｎを大きくするほど、細かく又は連続的に伸長処理を実行することができ、後述する情報表示処理において視認表示１６ｂの全域に歪みや変形がさらに抑制された均一な表示を実現することができる。
【００６８】
また、本実施形態においては、楕円形として近似し、表示パネルの延在方向（ｙ軸方向）における、目視方向算出処理によって設定された視線中心となる基準位置（ｙ＝０）を基準にして、当該基準位置に近い領域の伸長率を１倍として、当該領域から離れた領域（±ｙ方向）ほど、ｙ軸方向の伸長率を高くする表示補正処理について説明した。この表示補正処理の手法は一例であって、本発明はこれに限定されるものではない。例えば、本発明は、表示パネル１６の曲面を断面視した曲線に対する法線（又は接線）と目視方向の直線とが平行（両者の角度θ＝０°（接線の場合には角度θ＝９０°）；視線中心に相当する）となる位置及びその近傍の表示領域１６ａの伸長率を１倍とし、角度θが大きく（接線の場合には小さく）なるほど、ｙ軸方向の伸長率を（段階的又は連続的に）高くする手法を適用するものであってもよい。ここで、表示パネル１６の曲面を断面視した曲線に対する法線（又は接線）は、上述した湾曲形状算出処理（ステップＳ１０４）において算出された湾曲状態（又は、湾曲状態を規定する曲率の分布）に基づいて算出されるものである。この手法においては、一例として、角度θ＝３０°となる表示領域近傍の伸長率を２／√３（≒１．１５５）倍とし、角度θ＝４５°となる表示領域近傍の伸長率を√２（≒１．４１４）倍とし、角度θ＝６０°となる表示領域近傍の伸長率を２倍として、表示領域１６ａに表示される情報が伸長補正される。
【００６９】
次いで、制御部１７０は、上述した表示補正処理により補正された情報を、表示パネル１６の表示領域１６ａの所定の位置に表示する（ステップＳ１１０）。具体的には、図７（ａ）に示すように、図６に示した視認表示１６ｂの視線中心（ｙ＝０）近傍の領域Ａ１に対応する表示領域１６ａには、（伸長率１倍であるので）伸長補正を行うことなく所望の情報がそのまま表示される（図面左方の斜視図中の画像「Ｃ」参照）。一方、視認表示１６ｂの視線中心から離れた領域Ａ２に対応する表示領域１６ａには、所望の情報のｙ軸方向を例えば５倍に伸長補正した後の情報（補正情報）が表示される（図面左方の斜視図中の画像「Ｂ」、「Ｄ」参照）。これにより、表示領域１６ａに表示された情報をユーザが視認すると、図面右方に示すように、視認表示１６ｂの領域Ａ２に、領域Ａ１に表示される情報（画像「Ｃ」）と略同等の表示形状に補正された情報（画像「Ｂ」、「Ｄ」）が視認され、視認表示１６ｂの全域において歪みや変形が抑制された均一な表示が実現される。
【００７０】
なお、比較のため、本実施形態に係る表示補正を適用していない情報表示の例を示すと、図７（ｂ）に示すように、表示領域１６ａのそれぞれの位置に、補正されていない情報がそのまま表示される（図面左方の斜視図中の画像「Ａ」〜「Ｅ」参照）。このような表示をユーザが視認すると、図面右方に示すように、視認表示１６ｂの視線中心（ｙ＝０）近傍では歪みや変形がない情報（画像「Ｃ」）が視認されるが、視線中心から離れた位置になるほど、顕著に歪みや変形が生じた情報（画像「Ａ」、「Ｅ」）が視認され、不均一な表示になる。
【００７１】
そして、上述した補正情報の表示状態において、制御部１７０は、ステップＳ１０６において算出されたユーザの目視方向Ｄｕを定期的に又は継続して監視する（ステップＳ１１２）。ユーザの目視方向Ｄｕに変化があると判定した場合には、制御部１７０は、ステップＳ１０８に戻って、新たに算出された（すなわち、変化した）目視方向Ｄｕ及び予め算出された表示パネル１６の湾曲状態に基づいて、情報の表示位置を設定するとともに、その表示形状を伸長補正して、当該補正情報を表示領域１６ａに表示する動作を繰り返し実行する。すなわち、目視方向Ｄｕの変化に応じて視線中心に表示される情報（画像「Ｃ」）の表示位置が移動するとともに、視線中心から離れた位置に表示される情報（画像「Ｂ」、「Ｄ」）が、表示パネルの湾曲状態に応じて伸長補正される。一方、ユーザの目視方向Ｄｕに変化がない場合には、表示領域１６ａに現時点での補正情報を表示する動作を継続する。これにより、ユーザの目視方向Ｄｕが変化した場合であっても、表示パネル１６の表示領域１６ａの視線中心となる基準位置を基準にして、情報が伸長補正されて表示されるので、ユーザの視点に常に追従するように所望の情報が表示される。
【００７２】
なお、ステップＳ１１２においては、カメラ１１Ａにより撮影されたユーザの顔画像に基づいて算出された目視方向Ｄｕに変化があるか否かを判定する場合について説明したが、本発明はこれに限定されるものではない。本発明は、例えばセンサ部１３０により取得された加速度や角速度等のセンサデータに基づいて、電子機器１００の傾きや向きを監視して、電子機器１００の傾きや向きに変化があると判定した場合には、ユーザの目視方向を再度算出するものであってもよい。
【００７３】
また、図５に示したフローチャートにおいては図示を省略したが、制御部１７０は、上述した情報表示処理の実行中に、処理動作を中断又は終了させる入力操作や、電子機器１００の動作状態の変化を常時監視して、当該入力操作や状態変化を検出した場合には、処理動作を強制的に終了するものであってもよい。具体的には、制御部１７０は、ユーザによる電源スイッチのオフ操作や、電源部１９０における電池残量の低下、処理実行中の機能やアプリケーションの異常等を検出して、一連の処理動作を強制的に中断して終了する。
【００７４】
次に、上述した情報表示方法に適用される表示情報設定処理について説明する。本実施形態に適用される表示情報設定処理においては、ユーザが電子機器１００に設けられた操作部１２０を操作して、表示領域１６ａの視線中心となる位置（又は領域）に表示させる情報の種類や内容を設定する処理を行う。具体的には、まず、ユーザは機器本体１０１の操作部１２０に設けられたタッチパネルや押しボタン等を操作して、電子機器１００の動作状態を表示情報設定モードに設定する。
【００７５】
制御部１７０は、表示情報設定モードに設定されると、表示パネル１６の表示領域１６ａに表示可能な情報のリストやアイコンを表示する。次いで、ユーザが所望する情報が表示されている表示領域１６ａの視野側に設けられたタッチパネルを、指先で直接タッチしたりタップしたりして選択することにより、制御部１７０は、当該情報を表示情報として設定（登録）する。その後、制御部１７０は、電子機器１００の動作状態を、通常モードに設定して、上述した情報表示方法を実行する。ここで、ユーザが複数の情報を選択する場合には、それらの表示位置や表示順序（具体的には、表示領域１６ａの視線中心となる基準位置を基準にして、表示領域１６ａの延在方向に配置する位置やその順序）等が、併せて設定（登録）される。これにより、帯状の表示領域１６ａにユーザが所望する様々な情報を、任意の配置や順序で表示することができる。なお、この表示情報設定処理において、表示パネル１６の表示領域１６ａに表示可能な情報としては、例えば現在時刻や、ユーザの動作中や運動中に取得した生体情報や運動情報の他、現在位置における方位や天気予報、株価や交通情報、ニュース速報等の各種の情報を適用することができ、ユーザはこれらの情報の中から所望の情報を選択することができる。このような表示情報設定処理は、ユーザが電子機器１００を装着した直後に、初期設定動作として実行するものであってもよいし、電子機器１００の装着中や表示パネル１６に情報が表示されている期間中に、ユーザが任意のタイミングで実行するものであってもよい。
【００７６】
このように、本実施形態によれば、自由に湾曲する帯状の表示パネルを備えた電子機器において、当該電子機器の湾曲状態、及び、表示パネルに対するユーザの目視方向を検出し、これらの位置関係に基づいて表示領域に表示される情報を伸長補正する。これにより、ユーザが電子機器を装着する際に、その湾曲状態が変化した場合であっても、ユーザの視点から見える表示領域（すなわち、視認表示）に表示される情報が、その全域で歪みや変形が抑制された均一な表示として視認される。したがって、ユーザは何回も表示パネルを見たり、表示パネルを見ている時間を長くしたり、手首や腕を回したりする動作を行うことなく、表示領域に表示された情報を瞬時かつ確実に把握することができる。
【００７７】
また、本実施形態においては、表示部１１０に表示する情報として、複数の情報を選択して、それらの表示位置や表示順序を任意に設定することができる場合について説明した。このような場合には、表示領域１６ａの視線中心となる基準位置を基準にして、表示領域１６ａの延在方向に複数の情報が順次隣接して配置されることになるため、視認表示１６ｂに設定した情報が全て表示されない場合がある。例えば、ユーザが一連の情報（画像「Ａ」〜「Ｅ」）を表示設定した場合であっても、本実施形態においては、図７（ａ）に示したように、一部の情報（視線中心となる画像「Ｃ」を基準とした画像「Ｂ」〜「Ｄ」）のみがユーザにより視認されることになる。そこで、本実施形態においては、上述した情報表示処理により表示パネル１６に情報が表示されている期間中に、表示領域１６ａの視野側に設けられたタッチパネルを、ユーザが指先で直接タッチしたりタップしたりして指示、あるいは、スワイプする。これにより、予め設定した複数の情報の中で、所望する情報が変わった場合であっても、簡易な操作により情報の表示位置を移動させて、表示領域１６ａの視線中心となる位置に表示する情報を変更させることができるとともに、視認表示１６ｂの全域において歪みや変形が抑制された均一な表示を実現することができる。
【００７８】
＜変形例＞
次に、本実施形態に係る電子機器及びその情報表示方法の変形例について説明する。
（曲率検出部の変形例）
図８は、本実施形態に係る電子機器に適用される曲率検出部の変形例を示す概略図である。
【００７９】
上述した電子機器１００の組み付け構造においては、曲率検出部１５０として、図４に示したように、フィルム状の絶縁性基板１４ｂの他面側（外装カバー１５側）に、複数の歪ゲージ１４ａが一列又は複数列配列された構造を適用した場合について説明した。本発明はこれに限定されるものではなく、次に示すような変形例を適用するものであってもよい。
【００８０】
曲率検出部の変形例１は、例えば図８（ａ）に示すように、帯状の平面形状を有する絶縁性基板１４ｂの四隅と中央の計５箇所の各領域に、歪ゲージ１４ａが配置された構造を有している。すなわち、歪ゲージ１４ａは、少なくとも表示パネル１６の曲率の変化に対応して湾曲する絶縁性基板１４ｂの歪みを検出することができる位置に配置されていればよく、図４に示したように、絶縁性基板１４ｂの他面側全域に歪ゲージ１４ａが配置されていなくてもよい。これにより、各歪ゲージ１４ａから出力された電圧データに基づいて、表示パネル１６の湾曲状態（又は、湾曲状態を規定する曲率の分布）を算出することができる。なお、この場合においても、上述した実施形態と同様に、曲率検出部１５０又は表示部１１０について、予め計測された曲率と歪ゲージ１４ａの電圧データとの関係をデータベースとして記憶部１８０に保存しておき、検出された電圧データをデータベースに照合することにより、表示パネル１６の曲率が算出される。
【００８１】
曲率検出部の変形例２は、上述のように表示パネル１６と曲率検出部１４とが別体である代わりに、表示パネル１６が曲率検出部１４を兼用している構造を有しており、具体的には、例えば図８（ｂ）、（ｃ）にそれぞれ示すように、表示パネル１６の一面側（回路基板１２側）の全域に、又は、所定の領域（例えば四隅と中央の計５箇所の各領域）に、歪ゲージ１４ａが直接設けられた構造を有している。すなわち、歪ゲージ１４ａは、少なくとも表示パネル１６の曲率の変化を検出することができるように設けられていればよく、図４や図８（ａ）示したように、ゲージ１４ａは曲率検出部１５０のために特別に設けられた絶縁性基板１４ｂに配置されていなくてもよい。これにより、表示パネル１６に設けられた各歪ゲージ１４ａから出力された電圧データに基づいて、表示パネル１６の湾曲状態を算出することができる。また、曲率検出部１５０として絶縁性基板を必要としないので、電子機器１００を構成する部材を削減して製造コストを低減することができるとともに、機器本体１０１の厚みを薄くして人体への装着性や密着性を向上させることができる。なお、この場合においても、表示部１１０について、予め計測された曲率と歪ゲージ１４ａの電圧データとの関係をデータベースとして記憶部１８０に保存しておき、検出された電圧データをデータベースに照合することにより、表示パネル１６の曲率が算出される。
【００８２】
なお、上述した実施形態及び各変形例１、２においては、曲率検出部１５０として、測定対象となる表示部１１０や、曲率検出部１５０に設けられる絶縁性基板１４ｂの湾曲により生じる歪みを検出する歪ゲージを適用した場合について説明したが、本発明は、これに限定されるものではない。すなわち、本発明に適用される曲率検出部１５０は、表示部１１０又は表示部１１０に一体的に設けられた部材の湾曲に伴う歪みや局所的な変形を、電気的な数値として検出することができるものであれば歪ゲージ以外の他の計測デバイスを適用するものであってもよい。具体的には、曲率検出部として、例えば全体が均一な抵抗体、又は、均一な圧電素子により形成されたシート状部材の表裏の各面に、それぞれマトリクス状に電極を配置した計測デバイスを、表示部１１０の表示パネル１６の曲率の変化に対応して湾曲するように設けた構造を適用するものであってもよい。このような曲率検出部によれば、マトリクス状に電極が配置された各位置において検出される抵抗値、又は、電圧値の分布に基づいて、表示パネルの湾曲状態又は湾曲形状を算出することができる。
【００８３】
（目視方向設定処理の変形例）
上述した情報表示方法においては、視点検出部１４０としてカメラ１１Ａを適用し、撮影された顔画像からユーザの目視方向Ｄｕを算出する場合について説明した。本発明は、これに限定されるものではなく、ユーザが電子機器１００を装着した状態で、表示部１１０に表示された情報を見る際の目視方向や視点の位置を検出することができるものであれば、他の手法を適用するものであってもよく、例えば次に示すような変形例を適用するものであってもよい。
【００８４】
目視方向設定処理の変形例１においては、ユーザの運動状態等を取得するためにセンサ部１３０に設けられた複数のセンサにより取得されるセンサデータに基づいて電子機器１００の角度情報、又は、電子機器１００の変位情報を算出し、これらの情報に基づいてユーザの目視方向を算出する。すなわち、一般に人間が手首や腕に装着された電子機器の表示を見る場合、普段の癖により腕の位置や角度等の動作状態（姿勢）が個人ごとに略一定になる。そこで、電子機器１００の表示を見る際のユーザの姿勢において、センサ部１３０に設けられた加速度センサや角速度センサ（ジャイロセンサ）、地磁気センサ等の複数のセンサにより取得されるセンサデータに基づいて算出される電子機器１００の傾きや回転に関連する角度情報やその変位情報と、そのときの目視方向との関係を予め登録する。そして、電子機器１００を装着した状態で、各種のセンサにより取得されるセンサデータに基づいて算出される電子機器１００の角度情報やその変位情報を、予め登録された目視方向との関係に基づいて判別することにより、ユーザの目視方向Ｄｕを算出することができる。
【００８５】
なお、変形例１において、ユーザの電子機器１００を見る際の姿勢における重力方向に対する電子機器１００の各種の角度情報を予め登録しておき、電子機器１００の装着中に取得したセンサデータに基づいて角度情報を算出して比較することにより、ユーザが電子機器１００の表示パネルに表示された情報を見ているか否かを判別することもできる。これにより、ユーザが電子機器１００を装着していない状態（非装着状態）や、表示パネルの情報を見ていない状態（非視認状態）では、表示部１１０を非表示状態（オフ状態）に制御して、電子機器１００の消費電力を削減することができる。
【００８６】
目視方向設定処理の変形例２においては、ユーザの運動状態等を取得するためにセンサ部１３０に設けられた加速度センサ等の特定の（一つの）センサにより取得されるセンサデータと、ユーザが操作部を操作して指定する目視方向に関する情報とに基づいて、ユーザの目視方向を算出する。例えばユーザが予め電子機器１００の表示を見る際の姿勢で、タッチパネル等を操作して目視方向を指定することにより、加速度データに基づいて算出される重力方向に対するユーザの目視方向を示す角度（重力方向と目視方向との角度差）を計測して予め登録する。そして、電子機器１００を装着した状態で、加速度センサにより取得される加速度データに基づいて重力方向を算出することにより、当該重力方向と予め登録された角度に基づいて、ユーザの目視方向Ｄｕを算出することができる。
【００８７】
また、上述したように、変形例１及び変形例２においては、センサ部１３０に設けられたセンサにより取得されるセンサデータに基づいて算出されるパラメータと目視方向との関係に基づいて、電子機器１００を装着した状態における目視方向が算出される。したがって、電子機器１００に対するユーザの視点の位置が変化したり移動したりした場合に、その変化に合わせて情報の表示位置を変化させたり、あるいは、視点の位置や電子機器１００の傾きや回転の変化に基づいて（すなわち、ユーザによる腕の回転等に対応させて）、表示されている情報をスクロールさせたりすることもできる。
【００８８】
目視方向設定処理の変形例３においては、一般的な目視方向の角度をデフォルト値（既定値）として予め登録しておき、当該角度に基づいてユーザの目視方向を決定する。すなわち、電子機器１００を装着して、表示部１１０に表示された情報を見る際に、統計的に多くの人が行う姿勢やその時の目視方向の角度を１又は複数個抽出して、デフォルト値として予め登録する。そして、電子機器１００を装着した状態で、デフォルト値として登録された１又は複数個の目視方向の角度の中からユーザが任意に選択することにより、目視方向Ｄｕを設定することができる。
【００８９】
なお、上述した実施形態及び各変形例１〜３に示した目視方向の設定手法は、各々を単独で適用するものであってもよいし、複合的に組み合わせて適用するものであってもよい。特に、複数の手法を複合的に適用することにより、ユーザの視点（目視方向）を適切に設定することができるとともに、ユーザの視点の位置が変化したり移動したりした場合であっても、その変化量や移動量に応じて情報の表示を追従させることができる。
【００９０】
＜第２の実施形態＞
次に、本発明の第２の実施形態について説明する。
上述した第１の実施形態においては、電子機器１００に設けられた機器本体１０１及び表示部１１０が人体の形状に応じて自由に湾曲する構造を有している場合について説明した。第２の実施形態においては、電子機器１００を人体に装着する際においても、機器本体１０１や表示部１１０がほとんど撓みや変形を生じることなく、所定の曲率の湾曲形状を保持する程度の剛性を有していることを特徴としている。
【００９１】
図９は、本発明に係る表示装置を備えた電子機器の第２の実施形態における機能構成を示す概略ブロック図であり、図１０は、本実施形態に係る電子機器における情報表示方法の一例を示すフローチャートである。ここで、上述した第１の実施形態と同等の構成及び方法については、上述した記載及び図面を適宜参照して、その説明を簡略化する。
【００９２】
本発明の第２の実施形態に係る電子機器１００は、上述した第１の実施形態（図１参照）と同様の外観形状を有している。ここで、機器本体１０１は、所定の曲率の湾曲形状を有し、電子機器１００を人体に装着する際においても、機器本体１０１や表示部１１０がほとんど撓みや変形を生じない程度の剛性を有する構造を有している。
【００９３】
このような構造を有する電子機器１００の装着方法は、例えば図２（ｂ）に示したように、まず、回動部１０３の回転軸を支点にして、開閉部１０２を回動させて、機器本体１０１と開閉部１０２の端部同士が離間した開放状態にして、機器本体１０１の装着空間１０１ｓに手首ＵＳｈを挿入する。そして、開閉部１０２を機器本体１０１に対して回動させて、機器本体１０１と開閉部１０２の他方の端部同士を近接又は密着させた閉止状態にすることにより、電子機器１００が手首ＵＳｈに装着される。
【００９４】
また、本実施形態に係る電子機器１００は、例えば図９に示すように、上述した第１の実施形態に示した機能構成（図２参照）において、曲率検出部１５０を省略した構成を有している。すなわち、本実施形態においては、機器本体１０１が所定の曲率の湾曲形状を保持する程度の剛性を有しているため、機器本体１０１や表示部１１０の表示パネル１６の湾曲に伴う歪みを検出する曲率検出部（図４参照）を備えていない。また、所定の曲率を有する機器本体１０１や表示部１１０の湾曲形状については、例えば記憶部１８０の所定の記憶領域に予め保存されており、一連の情報表示方法に適用される表示補正処理及び情報表示処理を実行する際に使用される。
【００９５】
本実施形態に係る電子機器１００における情報表示方法においては、例えば図１０に示すように、ユーザが電子機器１００を装着して起動した後、第１の実施形態に示した各処理動作のうち、湾曲状態算出処理を省く、目視方向算出処理（ステップＳ２０４）と、表示情報設定処理と、表示補正処理（ステップＳ２０６）と、情報表示処理（ステップＳ２０８）と、目視方向監視処理（ステップＳ２１０）が実行される。すなわち、本実施形態においては、機器本体１０１や表示部１１０の表示パネル１６が所定の曲率の湾曲形状を有しているため、上述した第１の実施形態に示した湾曲状態算出処理は実行されない。ここで、機器本体１０１や表示部１１０の湾曲形状については記憶部１８０に予め保存されているので、制御部１７０は、表示補正処理において、予め記憶部１８０に保存された表示パネル１６の湾曲形状と、目視方向算出処理により算出されたユーザの目視方向とに基づいて、表示パネル１６の表示領域１６ａに表示される情報の表示位置を設定するとともに、その表示形状を伸長補正する処理を実行する。
【００９６】
このような構成及び手法によれば、上述した第１の実施形態と同様に、図７（ａ）に示したように、視認表示１６ｂの視線中心近傍の領域に対応する表示領域１６ａには、所望の情報が（伸長補正を行うことなく）そのまま表示され、視認表示１６ｂの視線中心から離れた領域に対応する表示領域１６ａには、ユーザの視点と湾曲した表示パネル１６との位置関係に基づいて伸長補正した後の情報（補正情報）が表示される。そして、この表示領域１６ａに表示された情報をユーザが視認することにより、視認表示１６ｂの視線中心から離れた領域に、視線中心近傍の領域に表示される情報と略同等の表示形状に伸長補正された情報が視認されて、視認表示１６ｂの全域において歪みや変形が抑制された均一な表示を実現することができる。
【００９７】
なお、上述した各実施形態においては、電子機器１００を人体の手首に装着する場合について説明したが、本発明はこれに限定されるものではない。すなわち、本発明は、手首や腕に装着する場合のほか、ユーザが視認可能な位置であって、所定の曲率を有する部位（人体の部位であってもよいし、人体でなくてもよい）に良好に装着して使用することができる。また、本発明は、電子機器１００が機器本体１０１と開閉部１０２とを備え、回動部１０３を支点（中心）にして開閉部１０２を回動させることにより人体の部位に接触又は密着させて装着させる場合について説明したが、本発明はこれに限定されるものではない。すなわち、本発明は、例えば連続的に曲率が変化する単一の帯状部材を人体に巻き付けて装着するものであってもよいし、あるいは、複数の平面状の表示パネルが、側面側から見て、傾斜角度を変えて配列された多角形状を有するものであってもよい。
【００９８】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００９９】
（付記）
［１］
特定の方向に延在する表示領域を有し、前記表示領域の延在方向に湾曲した形状を有する表示部と、
前記表示部に対するユーザの目視方向を設定する目視方向設定部と、
前記目視方向設定部において設定された目視方向に応じた前記表示領域のうちの基準位置を基準として、前記表示領域に表示するための画像の少なくとも一部が、前記表示部の湾曲状態にしたがって前記表示領域において前記特定の方向に伸長する補正を行う情報補正部と、
を備えることを特徴とする表示装置。
【０１００】
［２］
前記表示部の湾曲形状を規定する曲率を検出する曲率検出部と、
前記曲率の分布に基づいて、前記表示部の湾曲形状を算出する湾曲形状算出部と、
をさらに備えることを特徴とする［１］に記載の表示装置。
【０１０１】
［３］
前記曲率検出部は、前記表示部の形状の変化に応じて生じる歪みを電気信号として検出する歪検出素子を有し、
前記湾曲形状算出部は、予め前記電気信号と前記曲率との対応関係にしたがって、前記曲率の分布を生成することを特徴とする［２］に記載の表示装置。
【０１０２】
［４］
特定の方向に延在する表示領域を有し、且つ前記表示領域の延在方向に湾曲した形状を有する表示部に対するユーザの目視方向を設定し、
前記設定された目視方向に応じた前記表示領域のうちの基準位置を基準として、前記表示領域に表示するための画像の少なくとも一部が、前記表示部の湾曲状態にしたがって前記表示領域において前記特定の方向に伸長する補正を行うことを備えることを特徴とする情報表示方法。
【０１０３】
［５］
特定の方向に延在する表示領域を有し、且つ前記表示領域の延在方向に湾曲した形状を有する表示部に対するユーザの目視方向を設定し、
前記設定された目視方向に応じた前記表示領域のうちの基準位置を基準として、前記表示領域に表示するための画像の少なくとも一部が、前記表示部の湾曲状態にしたがって前記表示領域において前記特定の方向に伸長する補正を行うことをコンピュータに実行させることを特徴とする情報表示プログラム。
【符号の説明】
【０１０４】
１１Ａ      カメラ
１４        曲率検出部
１４ａ      歪ゲージ
１５        外装カバー
１６        表示パネル
１６ａ      表示領域
１６ｂ      視認表示
１７        タッチパネル
１００      電子機器
１０１      機器本体
１０１ｓ    装着空間
１０２      開閉部
１０３      回動部
１１０      表示部
１２０      操作部
１３０      センサ部
１４０      視点検出部
１５０      曲率検出部
１７０      制御部
１８０      記憶部
ＵＳｈ      手首
Ｄｕ        目視方向
【図１】
2016146103.tif 000008
【図２】
2016146103.tif 000009
【図３】
2016146103.tif 000010
【図４】
2016146103.tif 000011
【図５】
2016146103.tif 000012
【図６】
2016146103.tif 000013
【図７】
2016146103.tif 000014
【図８】
2016146103.tif 000015
【図９】
2016146103.tif 000016
【図１０】
2016146103.tif 000017